(57)【要約】【課題】そのサイズ調整を行なう為の構成部材を、ヘアーバンドの内側に位置させて、このヘアーバンドの外観意匠をほぼ一定に保持する。【解決手段】頭髪Ｈの前方から両側部にかけて覆う基部２と、この基部の両端部に接続されて、前記基部の両端部間の間隔を調整する袋状のサイズ調整部３と、このサイズ調整部内に収縮状態で装着された弾性体４とを備え、前記サイズ調整部の一端部が、前記弾性体の一端部とともに前記基部に一体に接続され、前記サイズ調整部の他端部が前記基部の内側に開口するように接続され、前記弾性体の他端部が前記サイズ調整部の他端部から前記基部の内側へ引き出されて配置され、かつ、前記弾性体の他端部と前記基部の他端部内側との間に、前記弾性体を係止する係止手段５が設けられていることを特徴とする。【選択図】図３
2019076482.tif 000002
【特許請求の範囲】
【請求項１】
頭髪の前方から両側部にかけて覆う基部と、この基部の両端部に接続されて、前記基部の両端部間の間隔を調整する袋状のサイズ調整部と、このサイズ調整部内に収縮状態で装着された弾性体とを備え、前記サイズ調整部の一端部が、前記弾性体の一端部とともに前記基部に一体に接続され、前記サイズ調整部の他端部が前記基部の内側に開口するように接続され、前記弾性体の他端部が前記サイズ調整部の他端部から前記基部の内側へ引き出されて配置され、かつ、前記弾性体の他端部と前記基部の他端部内側との間に、前記弾性体を係止する係止手段が設けられていることを特徴とするヘアーバンド。
【請求項２】
前記係止手段が、前記弾性体に形成されたボタンホールと、前記基部の他端部内側に取り付けられ、前記ボタンホールに掛け止めされるボタンとによって構成されていることを特徴とする請求項１に記載のヘアーバンド。
【請求項３】
前記係止手段が、平面ファスナーによって構成されていることを特徴とする請求項１に記載のヘアーバンド。
【請求項４】
前記係止手段が、ホックによって構成されていることを特徴とする請求項１に記載のヘアーバンド。
【請求項５】
前記係止手段が、前記弾性体の長さ方向の所定領域に亙って設けられていることを特徴とする請求項１ないし請求項４の何れかに記載のヘアーバンド。
【請求項６】
前記基部が、一対の環状の基部構成体を備え、一方の基部構成体の内側に他方の基部構成体を通すことにより一体化されて構成されていることを特徴とする請求項１ないし請求項５の何れかに記載のヘアーバンド。
【発明の詳細な説明】
【技術分野】
【０００１】
本発明は頭髪を押さえてこの頭髪の乱れを防止したり、頭部のアクセサリーとして用いられるヘアーバンドに関するものである。
【背景技術】
【０００２】
一般に、たとえば、運動時における頭髪の乱れを防止したり、あるいは、頭部を飾るためのアクセサリーとしてヘアーバンドが用いられている。
【０００３】
このヘアーバンドは、使用者の頭部の大きさやヘアースタイル等が異なる場合でも、使用者の頭髪に適度な接触圧を与える必要がある。
【０００４】
そして、従来では、このような要望に対応可能なヘアーバンドの一例が、たとえば、特許文献１において示されている。
【０００５】
この従来のヘアーバンドは、環状に形成されたバンド本体内に、その長さ方向にサイズ調整紐を挿通するとともに、このサイズ調整紐の両端部を、前記バンド本体の所定部位から外方に引き出した構成となっている。
【０００６】
そして、前記サイズ調整紐の、前記バンド本体からの引き出し量を調整することにより、前記バンド本体の環状の内径を調整し、調整後において、前記サイズ調整紐の両端部を結んで調整位置を固定するようにしたものである。
【先行技術文献】
【特許文献】
【０００７】
【特許文献１】特開２００１−２３１号公報
【発明の概要】
【発明が解決しようとする課題】
【０００８】
このような従来のヘアーバンドによって、使用者の頭部に合わせてヘアーバンドの内径を調整して、頭髪への接触圧を調整することが可能となったが、なお、つぎのような改善すべき問題点が残されている。
【０００９】
すなわち、サイズ調整を行なう前記サイズ調整紐が前記バンド本体の外部に露出しており、この露出させられた部位において固定しなければならないことから、この結び目によってヘアーバンドの意匠性が損なわれてしまうという問題点である。
【課題を解決するための手段】
【００１０】
本発明のヘアーバンドは、前述した従来の問題点を解消せんとしてなされたもので、頭髪の前方から両側部にかけて覆う基部と、この基部の両端部に接続されて、前記基部の両端部間の間隔を調整する袋状のサイズ調整部と、このサイズ調整部内に収縮状態で装着された弾性体とを備え、前記サイズ調整部の一端部が、前記弾性体の一端部とともに前記基部に一体に接続され、前記サイズ調整部の他端部が前記基部の内側に開口するように接続され、前記弾性体の他端部が前記サイズ調整部の他端部から前記基部の内側へ引き出されて配置され、かつ、前記弾性体の他端部と前記基部の他端部内側との間に、前記弾性体を係止する係止手段が設けられていることを特徴とする。
【００１１】
このような構成とすることにより、前記弾性体の他端部を、前記サイズ調整部の他端部から前記基部の内側へ引き出すことにより、前記サイズ調整部の長さを縮めつつ前記基部の両端部の間隔を狭めることができる。
【００１２】
したがって、前記弾性体の前述した引き出し長さを調整することによって、前記基部と前記サイズ調整部とによって形成される環状体の内径を調整することができる。
【００１３】
そして、前述したように引き出された弾性体の他端部を、前記係止手段によって係止することにより、前述した調整位置を保持することができる。
【００１４】
ここで、前記弾性体が前記基部の内側に引き出されるとともに、この基部の内側において係止されることから、前記弾性体の引き出された部位やその係止部が前記基部の内側に隠される。
【００１５】
したがって、ヘアーバンドの外観の変化がほぼなく、その意匠性を維持することができる。
【００１６】
前記係止手段は、前記弾性体に形成されたボタンホールと、前記基部の他端部内側に取り付けられ、前記ボタンホールに掛け止めされるボタンとによって構成することができる。
【００１７】
この場合には、前記ボタンホールを前記弾性体の長さ方向に間隔をおいて複数設けることにより、複数の調整位置を設定することができる。
【００１８】
一方、前記弾性体の弾性によって、ある程度のサイズ変化を吸収することができるとともに、頭髪への接触圧を生じさせることができる。
【００１９】
また、前記係止手段は、平面ファスナーによって構成することも、ホックによって構成することも可能である。
【００２０】
このように、前記係止手段を変更した場合にあっても、これらが、前記基部の内側に位置させられて、この基部によって隠されるから、ヘアーバンドの外観の意匠を損なうことはない。
【００２１】
また、前記基部を、一対の環状の基部構成体を備え、一方の基部構成体の内側に他方の基部構成体を通すことにより一体化して構成することができる。
【００２２】
このような構成とすることにより、前記各基部構成体の図柄等を異なる図柄とすることができ、ヘアーバンドの意匠を容易に多様化することができる。
【発明の効果】
【００２３】
本発明のヘアーバンドによれば、そのサイズ調整を行なう為の構成部材を、ヘアーバンドの内側に位置させて、このヘアーバンドの外観意匠をほぼ一定に保持することができる。
【図面の簡単な説明】
【００２４】
【図１】本発明の一実施形態を示す平面図である。
【図２】本発明の一実施形態を示す正面図である。
【図３】本発明の一実施形態の要部を示す平面図である。
【図４】本発明の一実施形態の使用状態を示す正面図である。
【発明を実施するための形態】
【００２５】
以下、本発明の一実施形態について、図面を参照して説明する。
これらの図において、符号１は、本実施形態に係わるヘアーバンドを示す。
【００２６】
このヘアーバンド１は、後述する頭髪Ｈの前方から両側部にかけて覆う基部２と、この基部２の両端部に接続されて、前記基部２の両端部間の間隔を調整する袋状のサイズ調整部３（図１および図３参照）と、図３に示すように、前記サイズ調整部３内に収縮状態で装着された弾性体４とを備え、前記サイズ調整部３の一端部が、前記弾性体４の一端部とともに前記基部２に一体に接続され、前記サイズ調整部３の他端部が前記基部２の内側に開口するように接続され、前記弾性体４の他端部が前記サイズ調整部３の他端部から前記基部２の内側へ引き出されて配置され、かつ、前記弾性体４の他端部と前記基部２の他端部内側との間に、前記弾性体４を係止する係止手段５が設けられている。
【００２７】
前記基部２は、本実施形態では、一対の環状の基部構成体２ａ・２ｂを備え、一方の基部構成体２ａの内側に他方の基部構成体２ｂを通すことにより一体化されて構成されている。
【００２８】
また、本実施形態では、前記係止手段５が、前記弾性体４に形成されたボタンホール６と、前記基部２の他端部内側に取り付けられ、前記ボタンホール６に掛け止めされるボタン７とによって構成されている。
【００２９】
そして、前記ボタンホール６は、前記弾性体４の長さ方向に間隔をおいて複数形成されており、前記ボタン７に、前記ボタンホール６の一つを選択的に掛け止めすることにより、前記弾性体４の引き出し長さを調整可能としている。
【００３０】
このように構成された本実施形態のヘアーバンド１は、前記弾性体４の他端部を、前記サイズ調整部３の他端部から前記基部２の内側へ引き出すことにより、前記サイズ調整部３の長さを縮めつつ前記基部２の両端部の間隔を狭める。
【００３１】
これによって、使用者の頭部の形態に合わせて、前記基部２と前記サイズ調整部３とによって形成される環状体の内径を調整することができる。
【００３２】
そして、前述したように引き出された弾性体４の他端部を、前記係止手段５によって係止することにより、前述した調整位置を保持する。
【００３３】
このようにサイズが調整された前記ヘアーバンド１を使用者の頭部を取り囲むように装着することによって使用される。
【００３４】
ここで、前記弾性体４が前記基部２の内側に引き出されるとともに、この基部２の内側において係止されることから、前記弾性体４の引き出された部位やその係止部が前記基部の内側に隠される。
【００３５】
したがって、前記ヘアーバンド１の外観の変化がほぼなく、その意匠性を維持することができる。
【００３６】
そして、前記サイズ調整を若干小さめに設定しておくと、頭部に装着した際に、前記弾性体４が若干伸ばされることにより、装着時に、この弾性体４の弾性力により、頭髪に適度な接触圧を与えることができる。
【００３７】
なお、前記実施形態において示した各構成部材の諸形状や寸法等は一例であって、設計要求等に基づき種々変更可能である。
【００３８】
たとえば、前記弾性体４の引き出し部位や前記係止手段５を、前記基部２によって包み込むような構成とすることもできる。
【００３９】
このような構成とすることにより、前記ヘアーバンド１を裏返しにして使用した場合にあっても、前記弾性体４や前記係止手段５の露出を防止することができる。
【００４０】
また、前記係止手段５を平面ファスナーによって構成したり、ホックによって構成することも可能である。
【符号の説明】
【００４１】
１  ヘアーバンド
２  基部
２ａ  基部構成体
２ｂ  基部構成体
３  サイズ調整部
４  弾性体
５  係止手段
６  ボタンホール
７  ボタン
Ｈ  頭髪
【図１】
2019076482.tif 000003
【図２】
2019076482.tif 000004
【図３】
2019076482.tif 000005
【図４】
2019076482.tif 000006